(57)【要約】      （修正有）【課題】表面に利用限度額情報を表示し、広告またはロゴ用の領域を有するあらゆる種類の銀行カードおよびクレジットカードを提供する。【解決手段】所有者に関する少なくとも１つの日付、氏名、有効期限および／またはカード番号（クレジットカード番号など）などの利用限度額情報、および広告またはロゴ用の領域を表面に有し、少なくとも１つのアカウントにアクセスする、エンボススタイルの表示要素を備えるパスまたはキャッシュカード、ＥＣカードまたはクレジットカードであって、所有者のデータおよびクレジットカードまたは個人カードの利用限度額に合致するカード利用限度額を表示する第２の表示要素８を追加的に有することを特徴とするカードである。【選択図】図１
0003175614.tif 000002
【実用新案登録請求の範囲】
【請求項１】
所有者に関する少なくとも１つの日付、氏名、有効期限および／またはカード番号（クレジットカード番号など）などの利用限度額情報、および広告またはロゴ用の領域を表面に有し、少なくとも１つのアカウントにアクセスする、エンボススタイルの表示要素を備えるパスまたはキャッシュカード、ＥＣカードまたはクレジットカードであって、所有者のデータおよびクレジットカードまたは個人カードの利用限度額に合致するカード利用限度額（５）を表示する第２の表示要素（８）を追加的に有することを特徴とするカード。
【請求項２】
前記カード本体にある前記第２の表示要素（８）は、エンボスした（特に刻印、糊付けおよび／または彫刻した）数字、文字および／または通貨記号（１）を含むことを特徴とする、請求項１に記載のカード。
【請求項３】
前記カード本体にある前記第２の表示要素（８）は、彫刻した（特に刻印、糊付けおよび／または彫刻した）数字、文字および／または通貨記号を含むことを特徴とする、請求項１または２に記載のカード。
【請求項４】
前記カード本体にある前記第２の表示要素（８）は、燐光体の数字、文字および／または通貨記号を含むことを特徴とする、請求項１または２に記載のカード。
【請求項５】
前記第２の表示要素（８）の数字、文字および／または通貨記号は、第１の表示要素（７）のものと同じサイズまたはこれよりも大きもしくは小さいことを特徴とする、請求項１〜４のいずれか一項に記載のカード。
【請求項６】
前記第２の表示要素（８）の数字、文字および／または通貨記号のすべて（またはほとんど）は同じサイズであるか、前記第２の表示要素（８）の数字、文字および／または通貨記号のすべて（またはほとんど）は異なるサイズであることを特徴とする、請求項１〜５のいずれか一項に記載のカード。
【請求項７】
前記第２の表示要素（８）は、前記第１の表示要素（７）の上または下、あるいは右側または左側に配置することを特徴とする、請求項１〜６のいずれか一項に記載のカード。
【請求項８】
前記第１の（７）および前記第２の表示要素（８）は、前記カードの同じ面または逆の面に配置することを特徴とする、請求項１〜７のいずれか一項に記載のカード。
【請求項９】
前記第２の表示要素（８）は、電子ディスプレイおよびもう一つの特殊なディスプレイを備えていることを特徴とする、請求項１〜８のいずれか一項に記載のカード。
【請求項１０】
前記電子ディスプレイは、前記カード（２）が読み取り機に挿入された際に電力を供給されることを特徴とする、請求項７に記載のカード。
【請求項１１】
前記カードは、利用者が自由に独特のものに作製し、表面に画像および／またはロゴ（６）用の領域を設けることができることを特徴とする、請求項１に記載のカード。
【考案の詳細な説明】
【技術分野】
【０００１】
本考案は、所有者に関する少なくとも１つの日付（４）、氏名（３）、有効期限および／またはカード番号（２）（クレジットカード番号など）などの利用限度額情報（５）、および広告またはロゴ用の領域（６）を表面に有する、少なくとも１つのアカウントにアクセスするパスまたはキャッシュカード、ＥＣカードまたはクレジットカードに関する。
【背景技術】
【０００２】
これらのカードは、クレジットカードの形態である。カード所有者のクレジットカード番号、カードの有効期限および所有者の氏名はカードの表面に記載され、これらの情報はエンボスされている。カードの表面には、クレジットカード番号を割り当てる銀行情報、セキュリティコード、署名、必要な際に使用するチップ、磁気ストライプおよび広告表示も記載されている。
【０００３】
周知のカードを使用するにあたり、クレジットカード所有者の利用限度額情報がないことは取引に不便であると考えられてきた。そのため、本考案の役割は、最新の機能を備えたカードを提供することである。
【０００４】
この役割は、前述のカードにより得られる。少なくとも２つの表示要素があり、第１の要素（７）はカード所有者（３）、有効期限（４）およびカード番号（２）の情報を示し、第２の要素（８）は事実上自由に配置できるもので、数字または文字および通貨単位（２）で構成するカードの利用限度額情報（５）を含み、この情報は利用限度額を示す文字または金額で詳細を表す。
【０００５】
第２の表示要素（８）にエンボスした（特に刻印、糊付けおよび／または彫刻した）数字、文字および／または通貨記号（１）があることにはいずれも同じ利点がある。つまり、第２の表示要素（８）は、視覚だけでなく質感からも識別することができる。このように第２の表示要素（８）は、可視できるとともに触知できるものである。
【０００６】
第２の表示要素（８）のカード本体に彫刻および／または刻印した数字、文字（５）および／または通貨記号（１）は、有用な表示方法でもある。つまり、第２の表示要素（８）は、視覚だけでなく質感からも区別することができる。
【０００７】
数字、文字（５）および／または通貨記号（１）は、エンボスにしても彫刻してもよい。このようなフォントは、カードにレギュラー体、イタリック体など、どのタイプのフォントで処理してもよい。この方法により、視覚感覚および質感が増大する。エンボスおよび彫刻による処理以外に、精巧なスタイルで利用限度額情報（５）を記載してもよい。したがって、利用者は自分の利用限度額を暗闇でも容易に把握することができる。
【０００８】
数字、文字および／または通貨記号（１）の長さおよび形は自由に変更することができる。さまざまに異なるフォントおよび色を使用してもよい。しかしながら、第２の表示要素（８）の数字、文字（５）および／または通貨記号をすべて同一サイズにするか、数字、文字（５）および／または通貨記号（１）をすべて異なるサイズにすることが有利である。
【０００９】
ここではどの数字も同一サイズにし、どの文字も同じく同一サイズにする方が適切であると考える。このようにすることによって一貫した視覚感覚が生成される。
【００１０】
このほか、本考案を改良するにあたり、第２の表示要素（８）を第１の表示要素（７）の上または下、あるいは右側または左側に配置することを提案する。
【００１１】
第２の表示要素（８）は、事実上カードのどこに配置してもよい。それでもやはり、第１および第２の表示要素（７、８）をカードの同じ面または逆の面に配置することが好ましい。第１および第２の表示要素（７、８）をカードの同じ面に配置する方が両表示要素を見やすくなる。
【００１２】
第２の表示要素（８）にはさらに、電子ディスプレイおよびもう一つの特殊なディスプレイを備えているという利点がある。第２の表示要素（８）に与えた情報は、このディスプレイを通して変更することができる。
【００１３】
実際に、カード本体に追加のエネルギー源を設置することを検討してもよい。ディスプレイには、このエネルギー源から電力を供給することができる。ただし、電子ディスプレイには、カードが読み取り機に挿入されたときに電力を供給することが好ましく、こうすることによってカードの持続性が保たれる。さらに、第２のディスプレイは、取引に使用するときのみ、および特に読み取り機を装置に挿入したときに情報を表示する。
【００１４】
第２のディスプレイ（８）にはまた、最新のアカウント情報を呼び出すという利点もある。この機能にはその時点のカード利用限度額を含めることもできる。
【考案の概要】
【考案が解決しようとする課題】
【００１５】
本考案の主題は、銀行が使用する全クレジットカードに対してカード利用限度額を通貨記号、数字または単語として登録することである。
【００１６】
今日有効なクレジットカード利用限度額は、数字や単語で記載されてはいない。カード面には、カード番号を割り当てる銀行情報、セキュリティコードおよび署名、ならびに特定の広告表示が入っている。ところが今日、社会的地位や名声の要素はきわめて重要であると考えられている。人は取引にクレジットカードを使用する際に特別な感情を持ちたがり、自らのクレジットの価値を確認したいと思っている。
【課題を解決するための手段】
【００１７】
本考案は、クレジットカードに記載の番号によってその時点の利用限度額を明確に提示するものである。人は通常支払いをするのが楽しく、それを見せたがるものである。したがって、クレジットカード所有者の多くはこのようなクレジットカード（カード面に利用限度額を表示するクレジットカード）に魅力を感じると思われる。
【考案の効果】
【００１８】
本考案の利点：
ａ）目の不自由な利用者が自分の利用限度額を識別することができ、エンボスした記載によりカードを認識することができる。
ｂ）利用限度額が燐光体でくぼんでおり、それが夜に光ることによって、利用者は暗闇でも容易に自分の利用限度額を把握することができる。
ｃ）カード面に利用限度額を表示することにより、このカードが個性的で独特のものとなり、平凡な形式のカードを使用する必要がなくなる。
ｄ）利用者はさらに、フォントスタイル（レギュラー体、イタリック体、太字など）の表示などを目立つ印象にして別の美点を得る。
ｅ）利用者（特に利用限度額の高い利用者）は、自分の利用限度額が見えることに満足し、自分自身の信用性を認識する。
ｆ）独特の外観および製品が有効となり、この製品によって、カードを何枚も持つ代わりに利用限度額の高い納得のいくカードを１枚のみ使用するようになる。
ｇ）人はクレジットカードを使用するどの場所においても、取引の際または支払いをする間により特別な感覚と高級感を持ちたがることがある。銀行が割り当てる利用限度額を商業的成功の結果だと見なすことができれば、利用者の評判が上がることになる。自らの利用限度額を知って行動する能力のある常識的な人を生み出すことにもなる。
【００１９】
本考案のその他の特徴、詳細および利点は、添付の特許請求の範囲、図面および以下に示す定義によって明らかになるであろう。
【図面の簡単な説明】
【００２０】
【図１】表面に利用限度額を表示し、広告またはロゴ用の領域がある、米ドルの利用限度額を記載した銀行カードの全体図である。
【図２】表面に利用限度額を表示し、広告またはロゴ用の領域がある、ユーロの利用限度額を記載した銀行カードの全体図である。
【図３】表面に利用限度額を表示し、広告またはロゴ用の領域がある、トルコリラの利用限度額を記載した銀行カードの全体図である。
【図４】ユーロの利用限度額を記載したカード例の全体図である。
【図５】トルコリラの利用限度額を記載したカード例の全体図である。
【図６】米ドルの利用限度額を記載したカード例の全体図である。
【考案を実施するための形態】
【００２１】
図には、少なくとも１つのアカウントにアクセスするキャッシュカード、ＥＣカードまたはクレジットカードを示している。カード自体はとりわけ通常のカードの形態であり、その表面には、所有者のデータ、所有者の氏名、有効期限および／または決済番号（クレジットカード番号など）が表示され、これらはエンボススタイルで記載する。カード本体には数字、文字または通貨記号をエンボスまたは印刷で刻印することができる。
【００２２】
さらに、このカードは、所有者のデータおよびクレジットカードまたは個人カードの利用限度額に合致するカード利用限度額（５）を表示する。
【００２３】
図１の概略的な例では、第２の表示要素（８）は、数字または文字および／または通貨記号のいずれを含むこともでき、これらはエンボスまたは彫刻スタイルでカード本体（４）に配置することができる。
【００２４】
第２の表示要素（８）の数字、文字（５）および／または通貨記号（１）は、第１の表示要素（６）の数字、文字（５）および／または通貨記号（１）と同じサイズにしてもよい。図示した適用例では、数字、文字および／または通貨記号は第１の表示要素（６）よりも大きくなっている。
【００２５】
第１の表示要素（６）および第２の表示要素（８）は、カード本体（４）の同一面に配置している。
【００２６】
上記および特許請求の範囲の両方に記載した本考案の特徴および図面は、さまざまな適用例への基礎となるものであり、これらの特徴は単独でもさまざまに組み合わせても本考案を成立させるものである。
【符号の説明】
【００２７】
（１）：記号または文字で定義する通貨単位の情報
（２）：カード番号の情報
（３）：カード所有者の情報
（４）：有効期限の情報
（５）：数字および／または文字で定義するカード利用限度額の情報
（６）：広告または会社のロゴ
（７）：第１の表示要素
（８）：第２の表示要素
【図１】
0003175614.tif 000003
【図２】
0003175614.tif 000004
【図３】
0003175614.tif 000005
【図４】
0003175614.tif 000006
【図５】
0003175614.tif 000007
【図６】
0003175614.tif 000008
【手続補正書】
【提出日】平成24年3月9日(2012.3.9)
【手続補正１】
【補正対象書類名】実用新案登録請求の範囲
【補正対象項目名】全文
【補正方法】変更
【補正の内容】
【実用新案登録請求の範囲】
【請求項１】
所有者に関する少なくとも１つの日付、氏名、有効期限および／またはカード番号などの利用限度額情報、および広告またはロゴ用の領域を表面に有する、エンボススタイルの第１の表示要素を備えるパスまたはキャッシュカード、ＥＣカードまたはクレジットカードであって、所有者のデータおよびクレジットカードまたは個人カードの利用限度額に合致するカード利用限度額（５）を表示する第２の表示要素（８）を追加的に有することを特徴とするカード。
【請求項２】
前記カード本体にある前記第２の表示要素（８）は、エンボスした数字、文字および／または通貨記号（１）を含むことを特徴とする、請求項１に記載のカード。
【請求項３】
前記カード本体にある前記第２の表示要素（８）は、彫刻した数字、文字および／または通貨記号を含むことを特徴とする、請求項１または２に記載のカード。
【請求項４】
前記カード本体にある前記第２の表示要素（８）は、燐光体の数字、文字および／または通貨記号を含むことを特徴とする、請求項１または２に記載のカード。
【請求項５】
前記第２の表示要素（８）の数字、文字および／または通貨記号は、第１の表示要素（７）のものと同じサイズまたはこれよりも大きもしくは小さいことを特徴とする、請求項１〜４のいずれか一項に記載のカード。
【請求項６】
前記第２の表示要素（８）の数字、文字および／または通貨記号のすべて、またはほとんどは同じサイズであるか、前記第２の表示要素（８）の数字、文字および／または通貨記号のすべて、またはほとんどは異なるサイズであることを特徴とする、請求項１〜５のいずれか一項に記載のカード。
【請求項７】
前記第２の表示要素（８）は、前記第１の表示要素（７）の上または下、あるいは右側または左側に配置することを特徴とする、請求項１〜６のいずれか一項に記載のカード。
【請求項８】
前記第１の表示要素（７）および前記第２の表示要素（８）は、前記カードの同じ面または逆の面に配置することを特徴とする、請求項１〜７のいずれか一項に記載のカード。
【請求項９】
前記第２の表示要素（８）は、電子ディスプレイおよびもう一つの特殊なディスプレイを備えていることを特徴とする、請求項１〜８のいずれか一項に記載のカード。
【請求項１０】
前記電子ディスプレイは、前記カード（２）が読み取り機に挿入された際に電力を供給されることを特徴とする、請求項７に記載のカード。
【請求項１１】
前記カードは、利用者が自由に独特のものに作製し、表面に画像および／またはロゴ（６）用の領域を設けることができることを特徴とする、請求項１に記載のカード。